(57)【特許請求の範囲】
【請求項１】
缶口部に巻締固定され且つ飲み口部を備えた板状の金属製蓋体と、該蓋体の飲み口部を閉じるための樹脂製栓体と、該樹脂製栓体に着脱自在に設けられた樹脂製のリングホルダーとから成り、
前記金属製蓋体の飲み口部周縁にはカール部が形成されており、
前記樹脂製栓体は、平板部と、該平板部の上面であって平板部の外周縁よりも内側に形成された周状突起とから成り、該平板部の周状突起よりも外側部分にはフランジ部が形成されていると共に、
前記周状突起の上端部外面には係止突条が形成され、且つ該周状突起上端部には、下方に延びている切欠き部が周方向に一定間隔で複数形成されており、
前記樹脂製栓体は、前記カール部と周状突起外面とが対面するように、下方から前記飲み口部に嵌め込まれており、この状態でカール部と係止突条とが係合し、該カール部が係止突条と平板部のフランジ部上面との間に保持され、
前記リングホルダーは、基板と、基板外周縁から立ち上がっている周状側壁と、基板上面に設けられている把持部とから成り、該リングホルダーは、周状側壁外面と周状突起内面とが密着する様に、前記樹脂製栓体の周状突起内に着脱自在に嵌め込まれていることを特徴とする缶蓋。
【請求項２】
前記樹脂製栓体の平板部は、前記金属製蓋体の裏面にリベット止めされたバンド部を介して揺動自在に保持されている請求項１に記載の缶蓋。
【請求項３】
前記周状突起からフランジ部にかけてカール部に沿った湾曲形状の凹部が形成されている請求項１に記載の缶蓋。
【発明の詳細な説明】
【０００１】
【発明の属する技術分野】
本発明は、缶蓋に関するものであり、特に飲料缶の開口部に設けられ、飲み口部を形成するためのスコアが形成されていない缶蓋に関する。
【０００２】
【従来の技術】
従来、アルミ缶に代表される金属缶は，各種飲料用の缶として広く使用されている。この様な飲料缶の缶蓋は、缶口部に巻締めにより固定されており、所定形状のスコアにより飲み口部が区画されており、スコアで区画されている部分に、金属製のタブがリベット止めされた構造となっているものがほとんどである。
即ち、このタブを手で持ち上げ或いは缶内に押し込むことにより、スコアを破断して飲み口を形成して缶内飲料を喫飲するというものである。
【０００３】
【発明が解決しようとする課題】
しかしながら、上述した従来公知の缶蓋では、スコアを破断して飲み口を形成する場合には、アルミニウム等の金属粉が発生し、この金属粉が缶内に落下して混入するという問題があり、衛生上、あまり望ましいものではない。特に、缶蓋がアルミニウムのような軟質の素材で形成されている場合には、金属粉の発生傾向が大きく、衛生上好ましくない。
またスコアの破断により飲み口を形成する場合には、鋭利な切り口が形成されるため、スコア破断時や喫飲時に不快感等を与えるおそれもある。
【０００４】
従って本発明の目的は、スコアを設けることなく飲み口を形成することが可能であり、スコア破断による金属粉の発生や鋭利な切り口の形成が有効に防止された缶蓋を提供することにある。
【０００５】
【課題を解決するための手段】
本発明によれば、缶口部に巻締固定され且つ飲み口部を備えた板状の金属製蓋体と、該蓋体の飲み口部を閉じるための樹脂製栓体と、該樹脂製栓体に着脱自在に設けられた樹脂製のリングホルダーとから成り、
前記金属製蓋体の飲み口部周縁にはカール部が形成されており、
前記樹脂製栓体は、平板部と、該平板部の上面であって平板部の外周縁よりも内側に形成された周状突起とから成り、該平板部の周状突起よりも外側部分にはフランジ部が形成されていると共に、
前記周状突起の上端部外面には係止突条が形成され、且つ該周状突起上端部には、下方に延びている切欠き部が周方向に一定間隔で複数形成されており、
前記樹脂製栓体は、前記カール部と周状突起外面とが対面するように、下方から前記飲み口部に嵌め込まれており、この状態でカール部と係止突条とが係合し、該カール部が係止突条と平板部のフランジ部上面との間に保持され、
前記リングホルダーは、基板と、基板外周縁から立ち上がっている周状側壁と、基板上面に設けられている把持部とから成り、該リングホルダーは、周状側壁外面と周状突起内面とが密着する様に、前記樹脂製栓体の周状突起内に着脱自在に嵌め込まれていることを特徴とする缶蓋が提供される。
【０００６】
本発明の缶蓋では、樹脂栓体が金属製蓋体にあらかじめ形成されている飲み口部に嵌合固定されており、これを押し下げることによって容易に飲み口部を開放し、喫飲を行うことができる。従って、スコアの破断によって飲み口を形成するものではないから、アルミニウム等の金属粉を生じるおそれは全くなく、衛生性の点で極めて優れている。
また金属製蓋体に形成されている飲み口部の周縁にはカール部が形成されており、鋭利な部分は存在しないため、喫飲等に際して一般の使用者に不快感等を与えるおそれも全くない。
さらに飲み口部に嵌め込まれている樹脂製栓体の周状突起内には、リングホルダーが嵌め込まれており、これにより、該周状突起は、リングホルダーの周状側壁によって外方に押圧されてカール部に押しつけられている。この結果、樹脂製栓体は飲み口部にしっかりと嵌合固定され、十分なシール性も確保される。この場合、樹脂製栓体を押し込んでの飲み口部の開放は、把持部を引っ張ってリングホルダーを取り除いてから行われる。
【０００７】
また本発明においては、樹脂製栓体の周状突起上端には、嵌合状態でカール部と係合する係止突条と、周方向に間隔をおいて下方に延びている複数の切欠き部とが形成されていることが重要である。即ち、樹脂製栓体を押し込んで飲み口部を開放した場合、缶内に飲料が多量にある場合や缶を傾けて喫飲する際に、この栓体によって再び飲み口部が閉じられてしまうおそれがある。ところが、上記のような係止突条と切欠き部とを形成しておけば、係止突条の上端がカール部と当接するために外栓体の飲み口部内への嵌め込みが防止され、しかも、切欠き部によって飲み口部を通る飲料の流路が確保される。従って、喫飲を何ら不都合なく行うことができる。
【０００８】
【発明の実施の形態】
本発明を、以下、添付図面に示す具体例に基づいて説明する。
図１は、本発明の缶蓋を缶口部と共に示す側断面図であり、図２は、その平面図、及び図３は、図１の缶蓋において、樹脂製栓体を押し下げて飲み口部を開放して喫飲する時の状態を示す側断面図であり、図４は、図１の缶蓋の樹脂製栓体とカール部との嵌合部を拡大して示す図である。
【０００９】
図１及び２において、この缶蓋は、金属製蓋体１と、樹脂栓体２と、樹脂製のリングホルダー３とから構成されている。
【００１０】
金属製蓋体１は、金属缶５０の開口部に巻締め固定されており、さらに周縁部に近い部分に形成された飲み口部５を備えている。この飲み口部５の周縁部には、図示されているように、カール加工によってカール部６が形成されている。
【００１１】
樹脂製栓体２は、平板部１０と、平板部１０の上面に形成されている周状突起１１とから形成されている。また平板部１０の周状突起１１の外側部分にはフランジ部１２が形成されており、このフランジ部１２からはバンド部１３が延びており、バンド部１３の先端部分は、金属製蓋体１の裏面にリベット１６で止められている。即ち、この樹脂製栓体２は、金属製蓋体１の裏面に揺動可能に支持された構造となっている。
【００１２】
また樹脂製のリングホルダー３は、基板２０と、基板外周縁から立ち上がっている周状側壁２１と、基板上面に設けられている把持部（プルリング）２２とから成っている。
【００１３】
図１から明らかな通り、上記の樹脂製栓体２は、金属製蓋体１の飲み口部５に下方から嵌め込まれ、リングホルダー３は、飲み口部５に嵌め込まれている樹脂製栓体２の周状突起１１内に嵌め込まれるものである。即ち、飲み口部５を開放する場合には、プルリング２２を手で引っ張って周状突起１１内からリングホルダー３を取り外し、次いで樹脂製栓体２を押し込めばよい。
【００１４】
かかる本発明において、樹脂製栓体２の周状突起１１の上端部外面には、係止突条３０が設けられており、さらに、この上端部には、下方に延びている切欠き部３１が周方向に適当な間隔で複数個形成されている。
図３を参照して、上記の係止突条３０の外径Ｄは、カール部６の内径ｄよりも若干大きく設定されている。従って、図１のように樹脂栓体２が飲み口部５内に嵌め込まれている状態においては、カール部６と係止突条３０とが係合し、これにより樹脂製栓体２が缶５０内に落下することが有効に防止されるようになっている。
【００１５】
また、図３に示されている様に、樹脂製栓体２が押し下げられて飲み口部５が開放されている状態において、金属製蓋体１の裏面に揺動自在に支持されているため、缶５０内の飲料が多量にある場合或いは缶５０を傾けて喫飲を行う場合には、この栓体２の揺動により、飲み口部５が再び閉じられてしまうことがある。しかるに、上記の様な係止突条３０の存在により、この係止突条３０がカール部６の下側に当接するため、飲み口部５内に入り込んでしまうというトラブルが有効に防止される。さらに、係止突条３０が形成されている周状突起１１の上端部には切欠き部３１が形成されているため、係止突条３０がカール部６の下側に当接した状態においても、この切欠き部３１を通って飲料が流れるため、そのまま喫飲することが可能となるものである。
【００１６】
尚、上記切欠き部３１の下端と平板部１０の上面との間隔は、少なくともカール部６の軸方向長さと同じ程度の長さを有していることが必要である。切欠き部３１が平板部１０の上面近くまで延びていると、樹脂栓体２を飲み口部５に嵌め込んだ時のシール性が損なわれるおそれがあるためである。
【００１７】
また樹脂製栓体２とカール部６との嵌合部を拡大して示す図４を参照して、樹脂性栓体２が飲み口部５内に嵌め込まれた状態では、カール部６は、前述した周状突起１１の上端の係止突条３０の下側と係合し、この係止突条３０とフランジ部１２との間にカール部６が挟持される。さらに図４に示されている様に、周状突起１１からフランジ部１２にかけて、カール部６の外面に沿った形状の凹部４０を形成しておくことが好ましい。これにより、飲み口部５内に嵌め込まれた栓体２の係止突条３０とカール部６とがしっかりと係合し、栓体２が安定に保持されると共に、十分なシール性を確保することができる。
【００１８】
また凹部４０には、特にフランジ部１２側に位置する面上に微小な突起４１を複数個形成しておくことが好ましい。このような微小突起４１を形成しておくことにより、カール部６と微小突起４１の先端に応力が集中するため、十分に高いシール性を確保することができる。特に、缶内飲料がコーラなどの炭酸飲料のように内圧を有するものの場合には、著しく高いシール性を確保できる。また、このような微小突起４１に変えて、栓体２とは別体の軟質樹脂からなるシール材を設けることもできる。
【００１９】
さらに本発明においては、特に図４に明瞭に示されている様に、カール部６は、上向きにカールされていることが好適である。塗料の塗布されていない先端部分６ａが缶内容液と接触して内容液を変質させるおそれがあるためである。
またカール部６の先端部分６ａは、内方に丸め込まれており、外部に露出していないように形成することが望ましい。この先端部分６ａが外部に露出していると、喫飲等に際して、使用者に不快感を与えるおそれがあるためである。
【００２０】
また本発明によれば、図１に示されている様に、飲み口部５に嵌め込まれている樹脂製栓体２の周状突起１１内には、リングホルダー３が嵌め込まれる。即ち、リングホルダー３の周状側壁２１の外径は、周状突起１１の内径と同等もしくはそれよりも若干大きく設定されている。従って、リングホルダー３を周状突起１１内に嵌め込むと、周状側壁２１の外面と周状突起１１の内面とが密着し、周状突起１１は若干外方に押し広げられる。この結果として、周状突起１１の外面がカール部６に押しつけられ、樹脂栓体２がしっかりと固定されると同時にシール性が一層向上するのである。
【００２１】
かかる本発明の缶蓋を製造するには、射出成形等により樹脂製栓体２及びリングホルダー３を成形し、樹脂製栓体２を、打ち抜き及びカール加工などにより形成された金属製蓋体１にリベット止めする。次いで、樹脂製栓体２を押し上げて飲み口部５内に嵌め込んだ後に、リングホルダー３を樹脂製栓体２の周状突起１１内に嵌め込むことにより容易に製造され、飲料缶の開口部に金属製蓋体１を巻締め固定することにより実用に供される。また栓体２にリングホルダー３を嵌め込んだ後に、このリングホルダー付栓体を、金属製蓋体１の飲み口部５内に嵌め込むことも可能である。
【００２２】
この缶蓋において、樹脂栓体２やリングホルダー３を形成する素材としては、これに限定されるものではないが、例えばポリエチレン、ポリプロピレン、プロピレン−エチレン共重合体、プロピレン−ブテン１共重合体等のオレフィン樹脂、アクリロニトリル−スチレン−ブタジエン（ＡＢＳ）樹脂、耐衝撃性スチレン樹脂、アクリル樹脂、ナイロン樹脂等の各種プラスチックが使用され、特に高密度ポリエチレンやポリプロピレン等が好適に使用される。
また金属製蓋体１を形成する金属素材としては、表面未処理鋼（ブラックプレート）や表面処理鋼、アルミニウム等の軽金属が好適に使用される。表面処理鋼としては、鋼基質上に、リン酸処理、クロム酸処理等の化学処理、電解クロム酸処理等の化成処理、電解スズメッキ、電解亜鉛メッキ、電解クロムメッキ等の電解メッキ処理、溶融アルミニウム処理、溶融スズメッキ処理等の溶融メッキ処理を行ったものが挙げられる。これらの内でも、特にアルミニウムやアルミニウム合金が好適である。また金属製蓋体１の内面は、適当な保護塗料で塗装するのがよい。
【００２３】
上述した具体例では、フランジ部１２から延びているバンド部１３を金属製蓋体１の裏面にリベット１６で止めた構造のものを示したが、必ずしもこのようにリベット等で固定する必要はない。ただし栓体２が蓋体１に固定されていない場合には、喫飲の際に船隊が反転するおそれがあるため、フランジ部１２の下面外周部に、複数の突部を設けることが好ましい。勿論、この複数の突部の最外周部がつくる仮想円がカール部内径よりも大きく設定することが必要である。
【００２４】
【発明の効果】
本発明の缶蓋では、金属製蓋体に予め飲み口が形成されており、飲み口を形成するためにスコアの破断は行われない。従って、スコア破断による金属粉の発生が全くなく、極めて衛生的である。
また、予め形成されている飲み口の周縁部にはカール部が形成されているため、鋭利な金属端部が形成されておらず、使用者に不快感等を与えるおそれも全くない。
さらに、予め形成されている飲み口には、樹脂製栓体が嵌合固定されており、この栓体を押し込むことにより、飲み口を容易に開放することができる。
本発明の缶蓋は、特にコーラ等の炭酸飲料が充填されたアルミ製飲料缶の缶蓋として極めて有用である。
【図面の簡単な説明】
【図１】本発明の缶蓋を缶口部と共に示す側断面図。
【図２】図１の缶蓋の平面図。
【図３】図１の缶蓋において、樹脂製栓体を押し下げて飲み口部を開放して喫飲するときの状態を示す側断面図。
【図４】図１の缶蓋の樹脂製栓体とカール部との嵌合部を拡大して示す図。
【符号の説明】
１…金属製蓋体          ２…樹脂製栓体
３…リングホルダー      ５…飲み口部
６…カール部          １０…平板部
１１…周状突起          １２…フランジ部
１３…バンド部          ２０…基板
２１…周状側壁          ３０…係止突条
３１…切欠き部          ４０…凹部
４１…微小突起          ５０…金属缶
【図１】
0004116147.tif 000002
【図２】
0004116147.tif 000003
【図３】
0004116147.tif 000004
【図４】
0004116147.tif 000005